(57)【要約】      （修正有）【課題】低コストで燃焼効率と処理効率の向上を図ることができる旋回流型燃焼・溶融炉の燃焼室を提供する。【解決手段】燃焼室７の形状を、鉛直方向の長軸と、該長軸と直交する略中央部における水平方向の短軸との比が７：４〜９：８となるような略楕円体とし、大気を導入する吹出し口８ｂを、最大径となる略中央部の下方近傍で燃焼室７の周面に３箇所以上備え、各吹出し口８ｂを水平面に対して下向きに１〜１５度の角度で、かつ燃焼室７の内壁の接線方向に対して所定の角度で燃焼室７内に向けて設置し、また、被溶融物を投入する投入口Ｔを、燃焼室７内の鉛直方向における有効高さの２／５〜３／４の範囲で、最大径となる略中央部に向けて設置する。【選択図】  図１
2005121356.tif 000002
【特許請求の範囲】
【請求項１】
投入される被燃焼物を旋回流の燃焼炎で燃焼、焼却する旋回流型燃焼炉の燃焼室であって、
前記燃焼室は水平方向より鉛直方向に長く、かつ前記燃焼室の鉛直方向においてその略中央部の水平面が最大径となるように、前記略中央部が水平方向に膨らんでおり、鉛直方向の長軸と、該長軸と直交する前記略中央部における水平方向の短軸との比が７：４〜９：８となるような略楕円体であることを特徴とする旋回流型燃焼炉の燃焼室。
【請求項２】
前記燃焼室内に被燃焼物を投入する投入口を、前記燃焼室内の鉛直方向における有効高さの２／５〜３／４の範囲で、前記最大径となる略中央部に向けて設置することを特徴とする請求項１に記載の旋回流型燃焼炉の燃焼室。
【請求項３】
前記略楕円体状の燃焼室の前記最大径となる略中央部が平面形状である、
ことを特徴とする請求項１に記載の旋回流型燃焼炉の燃焼室。
【請求項４】
前記略楕円体状の燃焼室の最下部が平面形状である、
ことを特徴とする請求項１に記載の旋回流型燃焼炉の燃焼室。
【発明の詳細な説明】
【技術分野】
【０００１】
本発明は、難燃性物質などの産業廃棄物を燃焼、焼却する旋回流型燃焼炉の燃焼室に関する。
【背景技術】
【０００２】
廃自動車等から生じるボディ、エンジン等の回収可能物を取り除いた後の大量のシュレッダーダストなどの産業廃棄物は、耐熱性、難燃性化された樹脂が多く、金属、ガラス、土砂等を含有している。そのため、細かく粉砕された前記産業廃棄物や、溶解処理した残渣を燃焼、焼却する場合、従来のストーカー式燃焼炉などでは、燃焼効率が悪く少量ずつ処理しなければならない。また、処理設備の性能を向上させるには多大なコストが必要だった。
【０００３】
このように従来では、産業廃棄物の焼却処理に時間がかかると共にその処理コストも高くなってしまうため、燃焼効率が高く、かつ処理コストの低減と小型化が可能な燃焼炉が望まれていた。そこで、近年、ストーカー式燃焼炉よりも燃焼効率が高く、かつ処理の低コスト化と小型化が可能な燃焼炉として、旋回流方式の燃焼炉（以下、旋回流型燃焼炉という）が提案され、実用化されている（例えば、特許文献１参照。）。旋回流型燃焼炉は、燃焼室内における燃焼を旋回流とすることによって、従来のストーカー式燃焼炉に比べて燃焼効率を高めることができる。
【特許文献１】特許第３０４９１７０号公報
【発明の開示】
【発明が解決しようとする課題】
【０００４】
ところで、上記特許文献１に記載されているような従来の旋回流型燃焼炉では、燃焼室内の燃焼温度が一般に１２００℃以上の高温になる。これにより、連続的に多量の細かく粉砕された前記産業廃棄物などの可燃物を投入口から燃焼室内に投入すると、可燃性ガスが急激に発生し、同時に生じる水分等の生成により、可燃性ガス周囲の温度上昇を妨げて黒煙や煤などが発生して、燃焼効率が低下する。燃焼効率を上げるために発生する黒煙や煤などを解消する必要があるが、黒煙や煤などを個別に対処すると設備構造が複雑、大型化し、コストが高くなる。
【０００５】
また、投入口から燃焼室内に投入する前記産業廃棄物などの可燃物の投入量を少なくすれば黒煙や煤などの発生を抑えることができるが、処理効率が大幅に低下する。
【０００６】
そこで本発明は、低コストで燃焼効率と処理効率の向上を図ることができる旋回流型燃焼炉の燃焼室を提供することを目的とする。
【課題を解決するための手段】
【０００７】
上記目的を達成するために請求項１に記載の発明は、投入される被燃焼物を旋回流の燃焼炎で燃焼、焼却する旋回流型燃焼炉の燃焼室であって、前記燃焼室は水平方向より鉛直方向に長く、かつ前記燃焼室の鉛直方向においてその略中央部の水平面が最大径となるように、前記略中央部が水平方向に膨らんでおり、鉛直方向の長軸と、該長軸と直交する前記略中央部における水平方向の短軸との比が７：４〜９：８となるような略楕円体であることを特徴としている。
【０００８】
これによれば、旋回流の燃焼炎を、燃焼室の最大直径付近で発生させることができるので、燃焼経路が最大になり、燃焼経路長さを最大限に利用することで、燃焼炎と被燃焼物から発生する可燃性ガスとの反応時間を十分に確保できる。またこれにより、黒煙や煤などを処理する設備を設けることなく黒煙や煤などの発生を抑えて連続的にシュレッダーダストや残渣などの可燃物の燃焼を良好に行うことができるで、低コストで燃焼効率と処理効率の向上を図ることができる。
【０００９】
また、請求項２に記載の発明は、請求項１に記載の発明において、前記燃焼室内に被燃焼物を投入する投入口を、前記燃焼室内の鉛直方向における有効高さの２／５〜３／４の範囲で、前記最大径となる略中央部に向けて設置することを特徴としている。
【００１０】
これによれば、投入口が、楕円体形状の燃焼室中、断面半径が比較的大きい位置にあると共に、その向きが被燃焼物の燃焼経路が最も長くなる燃焼室の略中央部に向けられている。そのため、被燃焼物が最も燃焼の長い位置、すなわち、断面半径が最も長い燃焼室の略中央部に投入されることになり、燃焼効率が他の位置からの投入に比べて著しく向上する。なお、投入口の位置が、燃焼室内の鉛直方向における有効高さ３／４よりも高い位置であると、投入位置が高すぎるため、被燃焼物が燃焼炎と絡む前に不完全状態で排気ダクト等に運ばれてしまい、燃焼効率が悪くなる。また、投入口の位置が、燃焼室内の鉛直方向における有効高さ２／５よりも低い位置であると、投入位置が低すぎるため、被燃焼物が旋回流に乗る前に不完全燃焼状態で落下してしまい、燃焼効率が悪くなる。
【００１１】
また、請求項３に記載の発明は、請求項１に記載の発明において、前記略楕円体状の燃焼室の前記最大径となる略中央部が平面形状であることを特徴としている。
【００１２】
これによれば、略楕円体状の燃焼室の最大径となる略中央部が平面形状なので、その中央部付近にある炎が燃焼室の壁面によって方向付けら得ることがない。そのため、ダクト等による吸引力によって中央部付近の炎に上向きの力を加えれば、容易に上方に向かう旋回流を発生させることができる。したがって、排気ダクトを上方に設けた場合には、略中央部が曲面形状の場合と比べ、循環が促進されることになり、排気効率が向上し、燃焼効率も向上する。なお、略中央部が曲面形状の場合には、燃焼室の最大径部よりも上側の燃焼室側面が下向きとなる。そのため、中央部付近にある炎が燃焼室の壁面によって下方向に方向付けられてしまい、上方に向かう旋回流を発生させることが困難となる。
【発明の効果】
【００１３】
以上説明したように本発明に係る旋回流型燃焼炉の燃焼室によれば、旋回流の燃焼炎を燃焼室の最大直径付近で発生させることにより、燃焼経路が最大になり燃焼経路長さを最大限に利用して、燃焼炎と被燃焼物から発生する可燃性ガスとの反応時間を十分に確保できる。これにより、黒煙や煤などを処理する設備を設けることなく黒煙や煤などの発生を抑えて連続的にシュレッダーダストや残渣などの可燃物の燃焼を良好に行うことができるで、低コストで燃焼効率と処理効率の向上を図ることができる。
【発明を実施するための最良の形態】
【００１４】
図１〜図５を参照して、１は、投入される被燃焼物を旋回流の燃焼炎で燃焼させる旋回流燃焼炉である。
【００１５】
旋回流燃焼炉１は、上部部材２、中部部材３、下部部材４の円柱状の３つの部材を備えており、それぞれの部材２、３、４には、その外周に枠体２ａ、３ａ、４ａが設けられている。
【００１６】
枠体２ａの下端部にはフランジ２ａ1が設けられており、これと同様に、枠体３ａの上端部及び下端部にもフランジ３ａ1が、枠体４ａの上端部にもフランジ４ａ1が設けられている。下部部材４、中部部材３、上部部材２を下からこの順に積み重ねた状態で、各フランジ２ａ1、３ａ1、４ａ1をボルト５とナット６で締結することにより、各部材２、３、４が一体化し、旋回流燃焼炉１が構成される。
【００１７】
旋回流燃焼炉１は、略回転楕円体に形成されている燃焼室７を備えており、この燃焼室７は、各部材２、３、４に設けられている、燃焼室上部７ａ、燃焼室中部７ｂ、燃焼室下部７ｃによって構成されている。
【００１８】
燃焼室７は、垂直方向の中心軸線（以下、長軸という）Ｈに対して左右対称（投入口Ｔ、排出口８ａ、導入口８ｂの部分を除く）であり、燃焼室７の長軸Ｈ方向の略中央部における水平方向の軸線（以下、短軸という）Ｌでの径が最も大きい。即ち、この短軸Ｌの位置が燃焼室７の最大直径部分である。燃焼室７は、その長軸Ｈと短軸Ｌとの比（Ｈ：Ｌ）が７：４〜９：８の範囲になるような断面形状が略楕円形又は略卵形に形成されており、より好ましくは（Ｈ：Ｌ）が５：４〜３：２となるような形状である。
【００１９】
本発明者の実験によれば、（Ｈ：Ｌ）が９：８より短軸Ｌの比が大きくなって、例えば（Ｈ：Ｌ）が９：８．５になると、球体に近くなることによって燃焼室７内の燃焼容積を稼げないばかりか、燃焼炎の旋回流が拡散してしまい、燃焼経路の増長が望めなくなる。このため、燃焼効率が低下し、燃焼効率を上げるためにより大量の大気を燃焼室７内に導入すれば、益々燃焼炎の移動速度が速くなり、燃焼する前に可燃ガスが排出口８ａから排出される不具合が生じた。
【００２０】
また、本発明者の実験によれば、（Ｈ：Ｌ）が７：４未満となって、例えば（Ｈ：Ｌ）が８：４になると、縦長になり過ぎることによって燃焼室７内の頂部における高温常態の熱輻射がうまく作用せず、燃焼室７内の頂部の温度低下が顕著となり易くなり、燃焼効率が低下した。
【００２１】
よって、本発明の実施形態のように、燃焼室７の長軸Ｈと短軸Ｌとの比（Ｈ：Ｌ）が７：４〜９：８の略楕円体とすることにより、燃焼経路長効果と熱輻射効果の両方の効果をバランスよく良好に得ることができ、燃焼効率を上げることができた。図１に示す本実施の形態では、燃焼室７の長軸Ｈと短軸Ｌとの比（Ｈ：Ｌ）が５：４の略楕円体とした。
【００２２】
また、旋回流燃焼炉１は、廃自動車から発生するシュレッダーダストを溶解または分解処理した残渣等の被燃焼物を外部から投入するための投入口Ｔと、それら被燃焼物が燃焼して発生するガスを排出する排出口８ａと、その排出口８ａから排出された排出ガス等燃焼室７内に導入する導入口８ｂとが設けられている。
【００２３】
投入口Ｔは、燃焼室７内の長軸Ｈ方向の略中央部に可燃物が投入されるように斜め下方に向けて傾斜している。なお、投入口Ｔは、燃焼室７の長軸Ｈ方向における燃焼室７内の有効高さの約２／５〜３／４の範囲の位置に設置する。この場合も、投入口Ｔを燃焼室７の長軸Ｈ方向の中央部に向けて設置する。
【００２４】
この投入口Ｔには、旋回流燃焼炉１の外部に設置されるホッパ９から被燃焼物を投入するための投入管１０が挿通されている。この投入管１０の上流端と、ホッパ９下部の側壁から外側に向けて水平に延びるコンベア管９ａの下流端とは、上下方向の接続管１１で接続されている。
【００２５】
ホッパ９の上部には上蓋９ｂが設けられており、この上蓋９ｂを開けてホッパ９内に被燃焼物を投入する。
【００２６】
投入管１０の上流側には、投入管１０の管方向に延びる棒部１２ａと、投入管１０の内周形状に沿う形状の押出部１２ｂとで構成される押出棒１２が設けられている。押出棒１２の棒部１２ｂは、投入管１０の上流側端部の側壁１０ａ中央に形成されている孔１０ｂに挿通されている。これにより、棒部１２ｂを投入管１０の下流側に向けて押すことにより、押出部１２ａで投入管１０内部に残留した被燃焼物を燃焼室７内に押し出すことができる。
【００２７】
ホッパ９の下部及び接続管１１内には、ホッパ９内の被燃焼物を接続管１１下流側に移動させ、投入管１０に運ぶためのスクリューコンベア１３が設けられており、このスクリューコンベア１３は、接続管１１の上側に設置されているモータ１４の動力をベルト１５で伝達することにより駆動される。また、このモータ１４の動力は、スクリューコンベア１３及びベルト１６を介して、ホッパ９内に設けられている解し機構１７に伝達される。
【００２８】
解し機構１７は、ベルト６によって回転力を付与される回転軸１７ａと、その回転軸１７ａに対して垂直に取り付けられている複数の解し棒１７ｂとで構成されている。
【００２９】
なお、このホッパ９は、所定の傾動手段によって、θ1＝５度程度傾動可能に構成するのが好ましい。
【００３０】
排出口８ａは、燃焼室７の上部７ａに３カ所、等間隔に設けられており、この排出口８ａから燃焼室内での燃焼に伴い発生したガスが自然対流によって排出される。導入口８ｂは、燃焼室中部７ｂの高さ方向中央よりも下方の壁面に３カ所、等間隔に設けられている。これら排出口８ａと導入口８ｂとは、副燃焼室部１８及び送気管１９（循環装置）によって連通されており、この副燃焼室部１８及び送気管１９を通って排出口８ａからの排出ガスが導入口８ｂに再度導入される。
【００３１】
送気管１９の途中には、外部から大気を導入する大気導入管２０が接続されている。送気管１９の大気導入管２０が接続された部分の下流側は、排出口８ａからの排出ガスと大気導入管２０からの大気を混合するガス混合部１９ａを構成している。
【００３２】
送気管１９のガス混合部１９ａは、燃焼室７の導入口８ｂに対し、水平より下向きにθ2＝５度傾斜した管方向で接続されている。これにより、燃焼室７内に投入されて燃焼室下部７ｃに位置している被燃焼物に排出ガス等が吹き込みやすくなる。さらに、導入口８ｂより下の部分に生じる旋回流の旋回数が増加するため、大気と排出ガスとの混合経路、及び、それらの混合ガスの燃焼経路が長くなり、燃焼効率が著しく高まる。
【００３３】
また、送気管１９のガス混合部１９ａは、燃焼室７の壁面の法線方向ａに対し水平方向にθ3＝７５度傾斜（燃焼室７の壁面の接戦方向ｂに対し水平方向に１５度傾斜）させて、接続されている。これにより、導入口８ｂから燃焼室７の内壁に沿って排出ガスと大気との混合ガスが導入されるようになっており、これら導入される混合ガスにより、燃焼室７内に効率よく旋回流を生じさせることができる。
【００３４】
大気導入管２０には、その端部にブロア等の大気加圧手段（図示しない）が接続されている。この大気加圧手段による、燃焼室７内への大気導入圧は、５Ｋｇｆ／ｃｍ2〜７Ｋｇｆ／ｃｍ2（０．５ＭＰａ）であり、その大気導入量は、６００Ｎｍｍ3／ｈ〜７００Ｎｍｍ3／ｈである。
【００３５】
副燃焼室部１８は、第１副燃焼室１８ａ、第２副燃焼室１８ｂ、第３副燃焼室１８ｃの、３つの副燃焼室１８ａ、１８ｂ、１８ｃで構成されている。各副燃焼室１８ａ、１８ｂ、１８ｃはその室内形状が略球状体に形成されており、第１副燃焼室１８ａの球状体の半径は、排出口８ａの径よりもおおきくなっている。また、第１副燃焼室１８ａ、第２副燃焼室１８ｂ、第３副燃焼室１８ｃの順に、球状体の半径が小さくなっている。
【００３６】
これにより、排出口８ａから排出された排出ガスは、第１副燃焼室１８ａに進入する際にその流速が減速され、排出ガスの第１副燃焼室１８ａでの滞留時間が長くなる。そして、第１副燃焼室１８ａでの滞留中にさらに燃焼が進んだ排出ガスは、第２副燃焼室１８ｂ、第３副燃焼室１８ｃに、順に進入し、その際に流速が加速される。このように、第１副燃焼室１８ａ、第２副燃焼室１８ｂ、第３副燃焼室１８ｃの順に球状体の半径が徐々に小さくなっていることにより、排ガスが通過する際にガスの流速が急激に変化しないようになっている。
【００３７】
上記送気管１９の途中には、下方に延びる排出管２１が接続されており、この排出管２１の下端に、接続部２２を介して循環部２３が接続されている。これら接続部２２及び循環部２３は、燃焼室下部７ｃの側方に、全周にわたって形成されており、循環部２３には、外部と連通する外部排気管２４が接続され、この外部排気管２４には大気吸引手段（図示しない）が接続されている。
【００３８】
この大気吸引手段による大気吸引量は、上記大気加圧手段による大気導入量よりも多くなるように設定されており、これにより、燃焼室７内は約−１ｍｍＡｑ〜−５ｍｍＡｑの負圧となっている。この−１ｍｍＡｑ〜−５ｍｍＡｑという燃焼室７内圧力は、燃焼炎が投入口Ｔから逆流せず、かつ、被燃焼物から発生する可燃ガス及び燃焼炎の排出口８ａへの排出速度が速くなりすぎない圧力である。
【００３９】
燃焼室下部７ｃの底部には、その下側に灰排出用通路２５が連通されていると共に、外部から振動させることができる振るい２６が設置されている。この振るい２６は上下２段の網目を備えており、上段の網目は目が粗く、下段の網目は目が細かく形成されている。この振るい２６を外部から振動させることにより、燃焼後の細かい灰は灰排出用通路２５に落下し、所定の排出手段によってこの灰が外部に排出される。
【００４０】
次に、本実施形態の作用について説明する。
【００４１】
まず、被燃焼物をホッパ９内に投入する。そして、モータ１４を駆動させると、解し機構１７によってホッパ９内の被燃焼物が分解され、その分解されてホッパ９下部に落下した被燃焼物がスクリューコンベア１３によってコンベア管９ａの下流側に運ばれる。コンベア管９ａの下流側に運ばれた被燃焼物は、接続管１１を通って投入管１０に落下し、投入管１０の傾斜によって投入口Ｔから燃焼室７内に投入される。この被燃焼物は、廃車された自動車のうち、インストルメンタルパネルやシートに代表される樹脂を多く含む部分を粉砕したシュレッダーダストを、溶剤や水蒸気を用いて溶解または分解した後に、溶解または分解されずに残った汚泥状物質を乾燥させて液体分を除去した残渣である。この残渣は、固形・粉末状であり、樹脂未分解物の他、金属分、土砂、ガラス及び炭素類が含まれている。
【００４２】
次に、投入口Ｔから種火（新聞紙に火を付けたもの等）を投入することによって、燃焼室７内の被燃焼物に対して点火を行う。そして、上記大気加圧手段を駆動させ、大気導入管２０から導入口８ｂに対して大気を供給する。これにより、大気が３箇所の導入口８ｂから燃焼室７の内壁に沿って導入され、燃焼室７内に螺旋状の旋回流が発生する。そして、被燃焼物の燃焼炎が旋回流に乗って旋回する。
【００４３】
この旋回流で被燃焼物が燃焼されて発生したガスは、排出口８ａから排出されて副燃焼室部１８に進入する。副燃焼室部１８の第１副燃焼室１８ａに進入したガスは、上述したように流速が減速されるので、第１副燃焼室１８ａでの滞留時間が長くなり、排ガスに含まれる未燃ガス及び煤等が再燃焼される。さらに、第２副燃焼室１８ｂ及び第３副燃焼室１８ｃで流速を加速しつつ、未燃ガス及び煤等の再燃焼を行う。そして、再燃焼された排ガスは、第３副燃焼室１８ｃから送気管１９に流れ込み、大気導入管２０から導入される大気とガス混合部１９ａで混合される。この混合ガスは、導入口８ｂから燃焼室７内に導入される。
【００４４】
また、送気管１９からの排ガス及び大気導入管２０からの大気の一部は、排出管２１に流れ込み、それら排出ガスは、接続部２２を介して循環部２３を循環する。この循環部２３を循環する排出ガスの熱によって下部部材４が保温され、燃焼室７内の温度低下が防止される。また、燃焼の初期段階においては、燃焼室７内の温度が速やかに上昇する。
【００４５】
このようにして循環部２３を循環した後に外部排気管２４から排気された排ガスは、触媒を経由して燃焼炎と共に２次燃焼機（図示しない）に送出される。この２次燃焼機では、副燃焼室部１８で燃焼しきれない未燃ガス（ｈｃ、一酸化炭素等）を摂氏８００〜９００度で燃焼した後、これらをＣＯ2とＨ2Ｏとにする。そして、２次燃焼機を経た排ガスは、排ガス処理系でＣＯ2とＨ2Ｏとに処理される。
【００４６】
この状態で投入口Ｔから被燃焼物を所定量ずつ断続的に投入すると、投入した被燃焼物は燃焼室７の高さ方向中央部付近に放出され、燃焼室７内の旋回流と反応して燃焼される。この際、燃焼室７内は旋回流の燃焼炎によって高温（摂氏１２００〜１３５０度以上）になる。
【００４７】
このように構成された旋回流燃焼炉１で残渣を燃焼処理した結果、燃焼状態は良好で、最も温度の高い燃焼室７中央部では摂氏１３５０度の炉温を得ることができた。また、煤の発生率は１％以下に抑制され、ＣＯ濃度は１０ｐｐｍ以下、ダイオキシン濃度は０．４ｎｇ／ｍ3以下に抑制された。
【００４８】
なお、本実施形態では、送気管１９のガス混合部１９ａを、燃焼室７の導入口８ｂに対し、水平より下向きに５度傾斜した管方向で接続しているが、本発明はこれに限定されるものではなく、燃焼室７内の導入口８ｂより下の部分に生じる旋回流の旋回数が増加し、大気と排出ガスとの混合経路、及び、それらの混合ガスの燃焼経路が長くなり、燃焼効率が著しく高まるような傾斜角度であれば良い。具体的には、導入する大気の圧力及び導入量に応じて、０度より大きくかつ１５度以下の傾斜角度に調整する。
【００４９】
また、本実施形態では、ガス混合部１９ａを、燃焼室７の壁面の法線方向に対し水平方向に７５度傾斜（燃焼室７の壁面の接戦方向に対し水平方向に１５度傾斜）させているが、本発明はこれに限定されるものではなく、導入口８ｂから燃焼室７の内壁に沿って混合ガスが導入され、燃焼室７内に効率よく旋回流が生じるような傾斜角度であれば良い。具体的には、導入する大気の圧力及び導入量、燃焼室の大きさ及び形状等に応じて、燃焼室の壁面の法線方向に対し水平方向に傾斜させるようにする。
【００５０】
なお、本実施形態では、導入口８ｂを、燃焼室中部７ｂの高さ方向中央よりも下方の壁面に３カ所、等間隔に設けているが、本発明はこれに限定されるものではない。例えば、燃焼室７の高さ方向の位置が異なる２箇所に導入口８ｂをそれぞれ設け、燃焼室７内に投入された被燃焼物の量によって、用いる導入口８ｂを変えるようにしても良い。
【００５１】
なお、本実施形態では、略楕円形の燃焼室７について説明したが、本発明はこれに限定されるものではない。例えば、図６に示すような燃焼室７としても良い。
【００５２】
この燃焼室７は、燃焼室上部７ａの内壁面を略楕円形よりも外方向に膨らむようにして少し平たくし、燃焼室７内の長軸Ｈ方向の中央部付近（燃焼室７の最大直径付近）を略楕円形に略内接する平面とし、更に、燃焼室下部７ｃも短軸Ｌと平行な略楕円形に略内接する平面とした。
【００５３】
なお、燃焼室７内の長軸Ｈ方向の中央部付近（燃焼室７の最大直径付近）と燃焼室下部７ｃ内壁面の間も略楕円形に略内接する平面とした。他の構成は図１に示した実施形態と同様であり、重複する説明は省略する。
【００５４】
本実施の形態では、燃焼室７の上部７ａ内壁面を曲面を少し平たくしたことにより、この上部７ａ内壁面で熱源である旋回流の燃焼炎からの輻射熱を効果的に反射して、熱輻射効果をより高めて燃焼効率をさらに向上させることができる。
【００５５】
更に、中央部付近（燃焼室７の最大直径付近）を平面とし、更に、下部７ｃ内壁面も平面としたことにより、曲面の場合に比べて可燃性ガスの接触面積を大きくすることができるので、可燃性ガスの発生率を高めて燃焼効率をさらに向上させることができる。
【００５６】
なお、本実施の形態においても、燃焼室７は、その長軸Ｈと短軸Ｌとの比（Ｈ：Ｌ）が７：４〜９：８の範囲になるような断面形状に形成されており、より好ましくは（Ｈ：Ｌ）が５：４〜３：２となるような形状である。
【図面の簡単な説明】
【００５７】
【図１】本発明の実施形態に係る旋回流燃焼炉を示す断面図
【図２】図１のII−II線断面図
【図３】図１のIII−III線断面図
【図４】図１のIV−IV線断面図
【図５】図１のＶ−Ｖ線断面図
【図６】本発明の他の実施形態に係る旋回流燃焼炉を示す断面図
【符号の説明】
【００５８】
７  燃焼室
８ａ  排出口
８ｂ  導入口
２０  大気導入管
【図１】
2005121356.tif 000003
【図２】
2005121356.tif 000004
【図３】
2005121356.tif 000005
【図４】
2005121356.tif 000006
【図５】
2005121356.tif 000007
【図６】
2005121356.tif 000008